(57)【要約】【課題】撮影画像を鑑賞するシーンに応じて、その状況に相応しい再生となる画像送信を行うようにし、送信者や鑑賞者にストレスがかからないようにした画像データ送信装置を提供する。【解決手段】画像データの送信を開始すると（Ｓ１３→Ｓ１７）、送信先の再生機器２０からの応答信号に応じて、振動検出部５の振動検出結果に基づいて行う処理を変更する。双方向で信号のやり取りできる携帯電話２０ａの場合には、振動を検出すると、画像データを送信する（Ｓ２６→Ｓ３２）。双方向で信号のやり取りができないテレビ２０ｂの場合には、送信時間が終了するまでは振動を検出すると同じ画像を再度送信し（Ｓ４４→Ｓ３５）、送信時間が過ぎてから、振動を検出すると、画像データを送信する（Ｓ４６→Ｓ３６）。【選択図】  図４
2014082771.tif 000002
【特許請求の範囲】
【請求項１】
画像データを外部に送信可能な画像データ送信装置であって、
上記画像データを記録する記録部と、
上記画像データを外部に送信する送信部と、
操作者の操作に応じて上記送信を開始するための送信操作部と、
自己の装置本体の振動を検出する振動検出部と、
送信先の機器との通信が確立していて、上記振動検出部によって上記振動を検出する毎に、画像データを更新して送信する送信制御部と、
を備えたことを特徴とする画像データ送信装置。
【請求項２】
上記送信制御部は、上記送信先の機器との通信が確立していて、上記振動を検出する前は、同じ画像データを送信することを特徴とする請求項１に記載の画像データ送信装置。
【請求項３】
画像データを外部に送信する画像データ送信方法であって、
上記画像データを記録し、
上記画像データを外部に送信し、
操作者の操作に応じて上記送信を開始し、
自己の装置本体の振動を検出し、
送信先の機器との通信が確立していて、上記振動を検出する毎に、画像データを更新して送信する、
ことを特徴とする画像データ送信方法。
【請求項４】
上記送信先の機器との通信が確立していて、上記振動を検出する前は、同じ画像データを送信することを特徴とする請求項３に記載の画像データ送信方法。
【請求項５】
画像データを外部に送信する動作をコンピュータに実行させるためのプログラムであって、
上記画像データを記録し、
上記画像データを外部に送信し、
操作者の操作に応じて上記送信を開始し、
自己の装置本体の振動を検出し、
送信先の機器との通信が確立していて、上記振動を検出する毎に、画像データを更新して送信する、
ことをコンピュータに実行させることを特徴とするプログラム。
【請求項６】
上記送信先の機器との通信が確立していて、上記振動を検出する前は、同じ画像データを送信することを特徴とする請求項５に記載のプログラム。
【発明の詳細な説明】
【技術分野】
【０００１】
本発明は、画像データ送信装置に関し、詳しくは、携帯電話やテレビ等の画像再生装置に画像データを送信する画像データ送信装置、画像データ送信方法、およびプログラムに関する。
【背景技術】
【０００２】
従来のフィルムカメラは単に撮影するだけの道具であったが、デジタルカメラの登場とともに画像信号がデジタル化され、パーソナルコンピュータ等の多くの機器とデータの受け渡しが簡単になってきた。また、無線通信技術も発達しており、他の機器との間で簡単にデータの受け渡しが可能となり、配線を必要とする有線通信によらなくても、他の機器で撮影画像の再生を簡単に行うことができるようになってきている。
【０００３】
このように機器間において、画像送信を行い、この画像を再生することは簡単になってきている。しかし、種々の機器に応じて、それぞれの機器に応じた設定をしなければならず、データの受け渡しは簡単になったものの、画像再生そのものは簡単とは言い難いものであった。そこで、設定を簡単にする提案が種々なされている。例えば、特許文献１には、プリンタ、プロジェクタ、大容量ストレージ等の機器に画像データを送信するにあたって、送信先のデータ受信機に応じて画像データ送信装置の設定表示を自動的に切り替えるようにした画像データ送信装置が開示されている。
【０００４】
また、デジタルカメラ等の撮影機器で
再生操作するにあたって、様々なスイッチ類を操作することは大変面倒であることから、操作を簡単にした機器が提案されている。例えば、特許文献２には、ユーザーが携帯機器を叩く方向や叩く速度を変化させることにより、表示を変化させ、直感的な感覚で操作することのできる画像表示装置が開示されている。
【先行技術文献】
【特許文献】
【０００５】
【特許文献１】特開２００４−７０８６８号公報
【特許文献２】特開２００６−９１２９４号公報
【発明の概要】
【発明が解決しようとする課題】
【０００６】
このように、画像送信にあたって、送信先の機器に応じて設定を変化させる画像データ送信装置は提案されている。しかし、従来の画像データ送信は再生時の使用状況については何ら考慮されていない。そのため、画像の受け渡しや再生方法の切替は、再生時の状況に応じて、様々なスイッチを操作したり、またメニュー設定を行って、それぞれの状況に対応するしかなかった。簡単に画像データの受け渡しを行いたいにもかかわらず、画像データ送信装置の設定が複雑で面倒であることから、デジタルカメラ内に画像が入ったままで、せっかく撮影した画像が使われないといった状況が多々あった。
【０００７】
また、特許文献２に開示の画像表示装置のように、叩く方向等によって切り替えることも考えられるが、この画像表示装置は、ユーザーの行動や意思を携帯機器の動きから読み取るものであって、操作者と、画像データ送信装置と、画像データ受信装置の関係を考慮するものではない。
【０００８】
従って、上述の特許文献のいずれも、デジタルカメラ等の画像データ送信装置と画像データ受信装置の置かれている状況を考慮しておらず、必要のないデータが送信されたり、また、画像データ送信装置と画像データ受信装置間でのデータ通信の確確立に手間がかかるなどして、送信者や鑑賞者にストレスがかかってしまうことがあった。
【０００９】
本発明は、このような事情を鑑みてなされたものであり、撮影画像を鑑賞するシーンに応じて、その状況に相応しい再生となる画像送信を行うようにし、送信者や鑑賞者にストレスがかからないようにした画像データ送信装置、画像データ送信方法、およびプログラムを提供することを目的とする。
【課題を解決するための手段】
【００１０】
上記目的を達成するため第１の発明に係る画像データ送信装置は、画像データを外部に送信可能な画像データ送信装置であって、上記画像データを記録する記録部と、上記画像データを外部に送信する送信部と、操作者の操作に応じて上記送信を開始するための送信操作部と、自己の装置本体の振動を検出する振動検出部と、送信先の機器との通信が確立していて、上記振動検出部によって上記振動を検出する毎に、画像データを更新して送信する送信制御部と、を備える。  
第２の発明に係わる画像データ送信装置は、上記第１の発明において、上記送信制御部は、上記送信先の機器との通信が確立していて、上記振動を検出する前は、同じ画像データを送信する。
【００１１】
第３の発明に係わる画像データ送信方法は、画像データを外部に送信する画像データ送信方法であって、上記画像データを記録し、上記画像データを外部に送信し、操作者の操作に応じて上記送信を開始し、自己の装置本体の振動を検出し、送信先の機器との通信が確立していて、上記振動を検出する毎に、画像データを更新して送信する。
第４の発明に係わる画像データ送信方法は、上記第３の発明において、上記送信先の機器との通信が確立していて、上記振動を検出する前は、同じ画像データを送信する。
【００１２】
第５の発明に係わるプログラムは、画像データを外部に送信する動作をコンピュータに実行させるためのプログラムであって、上記画像データを記録し、上記画像データを外部に送信し、操作者の操作に応じて上記送信を開始し、自己の装置本体の振動を検出し、送信先の機器との通信が確立していて、上記振動を検出する毎に、画像データを更新して送信する。
第６の発明に係わるプログラムは、上記第５の発明において、上記送信先の機器との通信が確立していて、上記振動を検出する前は、同じ画像データを送信する。
【発明の効果】
【００１３】
本発明によれば、撮影画像を鑑賞するシーンに応じて、その状況に相応しい再生となる画像送信を行うようにし、送信者や鑑賞者にストレスがかからないようにした画像データ送信装置を提供することができる。
【図面の簡単な説明】
【００１４】
【図１】本発明の一実施形態に係わるカメラと再生機器の構成を示すブロック図である。
【図２】本発明の一実施形態において、カメラと再生機器の使用状態を示す図であり、（Ａ）はカメラから携帯電話に画像データを送信する様子を示す図であり、（Ｂ）はカメラからテレビに画像データを送信する様子を示す図である。
【図３】本発明の一実施形態に係わるカメラのカメラ制御の動作を示すフローチャートである。
【図４】本発明の一実施形態において、画像変更のサブルーチンを示すフローチャートである。
【発明を実施するための形態】
【００１５】
以下、図面に従って本発明を適用したカメラ１０や、再生機器２０を用いて好ましい実施形態について説明する。図１は本発明の一実施形態に係わるカメラ１０と再生機器２０の構成を示すブロック図である。カメラ１０は被写体を撮影し、撮影画像を取得するデジタルカメラである。
【００１６】
カメラ１０は、制御部１、撮影部２、画像記録部３、通信部４、振動検出部５、選択部６、顔検出部７、表示部８、および付随情報部９を有している。制御部１は、ＣＰＵ等を含みカメラ１０内の各部と接続され、記憶媒体に記憶された制御プログラムに従ってカメラ１０の全体を制御する。
【００１７】
撮影部２は、被写体像を結像するための光学系、被写体像を光電変換する撮像素子、撮像素子から出力される信号を処理する画像処理部等を含み、画像データを出力する。画像記録部３は、撮影部２から出力される静止画の画像データを記録する。
【００１８】
顔検出部７は、撮影部２から画像データを入力し、この画像データに基づいて、人物の顔の部分を検出する。すなわち、顔の部分の有無と、顔画像が含まれる場合には、顔の部分の位置と、顔の特徴を検出する。顔検出部７の検出結果は画像記録部３に送られ、後述するように、画像データの記録の際に、併せて検出結果が記録される。
【００１９】
付随情報部９は、ＧＰＳ（Global Positioning
System：全地球測位システム）からの位置情報や、時計部からの日時情報等の付随的な情報の検出部である。付随情報部９から出力される付随情報は画像記録部３に送られ、顔検出部７の検出結果と同様、画像データの記録時に併せて記録される。画像データに付随情報が添付されていると、その画像を再生する際に、撮影場所や日時に関係した地図や関連情報を表示することが可能となり、例えば、旅行の写真の場合にはどこに行ったか等、写真を分かりやすく説明することができる。
【００２０】
振動検出部５は、加速度センサ、角速度センサやジャイロ等、カメラ１０に加えられた振動を検出する。振動検出部５の出力は、カメラ１０の手振れ補正に使用するほか、後述するように、カメラ１０から再生機器２０に画像データを送信する際に、使用状況を検出するためにも使用する。振動検出部５における検出結果は、制御部１に送信される。
【００２１】
選択部６は、画像記録部６に記録されている画像データの中から画像を選択し、通信部４または表示部８に出力する。通信部４は、選択部６によって選択された画像データ等を外部に送信したり、また、外部から信号を受信する。通信部４は、再生機器２０と相互に信号を送受信する通信モードや、再生機器２０に対して一方的に信号を送信する通信モード等、無線通信や赤外線通信による複数の通信モードで通信が可能である。
【００２２】
表示部８は、カメラ１０の背面に設けられた液晶モニタ等によって構成され、画像記録部３に記録された画像データの中から、選択部６によって選択された画像データに基づいて再生表示する。また、カメラ１０の撮影等に必要な撮影情報やメニュー画面を表示する。
【００２３】
再生機器２０は、例えば、携帯電話やテレビであり、画像を再生表示可能なモニタを有する。制御部２１は、ＣＰＵ等を含み再生機器２０内の各部と接続され、記憶媒体に記憶された制御プログラムに従って再生機器２０の全体を制御する。また、制御部２１は、送信されてきたデータに従って、受信信号の要求を判定し、コンテンツ取得部２２が取得し記憶したコンテンツを、撮影画像の鑑賞時に合わせて表示を行う。
【００２４】
通信部２５は、カメラ１０の通信部４と通信が可能であり、カメラ１０から画像データを取得することができる。コンテンツ取得部２２は、通信部２５を介して取得した撮影画像以外のコンテンツを記憶する。ここで記憶されたコンテンツは、例えば、旅行の写真の際に、訪問した場所を示すに役立つような地図等である。
【００２５】
合成部２３は、通信部２５を介して受信したカメラ１０の撮影画像と、コンテンツ取得部２２に記憶されているコンテンツを合成する。ここでの合成は、広義であり、撮影画像またはコンテンツのいずれか一方のみを選択に表示部２４に出力し、また、撮影画像とコンテンツを組み合わせた画像を生成する等、種々の処理を指す。表示部２４は、携帯電話やテレビのモニタであり、合成部２３から出力される画像を表示する。
【００２６】
次に、本発明の一実施形態における動作を説明するが、動作フローの説明に先立って、図２を用いて、本実施形態における画像データ送信装置の使用方法について説明する。図２（Ａ）は、再生機器２０としての携帯電話２０ａに、カメラ１０から画像データを送信する様子を示している。また、図２（Ｂ）は、再生機器２０としてのテレビ２０ｂに、カメラ１０から画像データを送信している様子を示している。
【００２７】
テレビ２０ｂのように大型の画面を有する再生機器の場合には、多人数で鑑賞することが多く、この場合には、カメラ１０から送信されてきた撮影画像を再生表示するにあたって、分かり易く説明することが求められる。このため、本実施形態においては、画像に添付されている撮影時の付随情報を用い、例えば、旅行先の地図を併せて表示するようにしている。
【００２８】
次に、本発明の一実施形態におけるカメラ１０の制御動作について、図３に示すフローチャートを用いて説明する。カメラ制御のフローに入ると、まず、カメラ１０が撮影モードに設定されているか否かの判定を行う（Ｓ１）。このカメラ１０は、撮影モードや再生モードをユーザーによって設定可能である。ステップＳ１における判定の結果、撮影モードが設定されていた場合には、レリーズされたか否かの判定を行う（Ｓ２）。このステップでは、レリーズスイッチが操作され、撮影者によって撮影指示がなされたか否かを判定する。
【００２９】
ステップＳ２における判定の結果、レリーズされていなかった場合には、ステップＳ１に戻る。一方、レリーズされていた場合には、撮影を行う（Ｓ３）。このステップでは、撮影部２において、被写体像の静止画の画像データを取得する。撮影が終わると、付加情報の付加を行う（Ｓ４）。
【００３０】
このステップＳ４では、付加情報部９で取得したＧＰＳによる撮影位置情報や時計部によって取得した日時情報を画像データに付加する。また、顔検出部７によって検出された顔位置情報も画像データに付加する。すなわち、ステップＳ３において取得した画像データに、ここで取得した付随情報や顔位置情報を付加して画像記録部３に記録する。付随情報の付加を行うと、リターンし、ステップＳ１から再び実行する。
【００３１】
ステップＳ１における判定の結果、撮影モードでなかった場合には、再生モードか否かの判定を行う（Ｓ１１）。この判定の結果、再生モードでもなかった場合には、ステップＳ１に戻る。一方、再生モードであった場合には、画像記録部３に記録されている撮影画像を表示部８に再生表示する（Ｓ１２）。
【００３２】
続いて、外部送信を行うか否かの判定を行う（Ｓ１３）。このステップは、図２（Ａ）（Ｂ）に示すような状況において、カメラ１０から再生機器２０との間で画像データの送信を行おうとしているかの判定であり、画像データ送信用の操作部材（不図示）が操作されてか否かによって判定する。
【００３３】
ステップＳ１３における判定の結果、外部送信であった場合には、画像データの送信を行う（Ｓ１７）。この画像送信のサブルーチンでは、携帯電話２０ａやテレビ２０ｂ等の再生機器２０に画像データを送信するが、その際、送信先の再生機器２２を判別し、またカメラの使用状態（具体的には、振動を検出）によって、送信内容や送信タイミングを変更している。また、画像データを送信する際に、併せて画像データに付加されていた付随情報、顔位置情報等の関連情報も送信する。詳しくは、図４を用いて後述する。
【００３４】
ステップＳ１３における判定の結果、外部送信で無かった場合には、次にスライドショーか否かの判定を行う（Ｓ１４）。スライドショーは画像記録部３に記録されている静止画を順次、読出して表示部８に表示する再生モードである。
【００３５】
ステップＳ１４における判定の結果、スライドショーであった場合には、再生画像を先頭にスライドショーを開始する（Ｓ１５）。一方、判定の結果、スライドショーでなかった場合には、選択されている画像を表示部８に表示する（Ｓ１６）。ステップＳ１５、Ｓ１６、またはＳ１７での処理を行うと、リターンし、ステップＳ１から再び実行する。
【００３６】
次に、ステップＳ１７の画像送信のサブルーチンについて、図４を用いて説明する。なお、本実施形態においては、携帯電話２０ａとテレビ２０ｂは、通信方式が異なっていることを前提にしている。携帯電話２０ａは、カメラ付きであり、この携帯電話２０ａから画像データを送信することも可能であることから、通信は双方向通信（例えば、ＩＲ  Ｓｉｎｐｌｅ）となっており、機器間で通信確立したことを確認しながら通信を行う。一方、テレビ２０ｂは、受信した画像データを表示する再生専用機であることから、通信機能は、リモコンのように、画像データを受けるだけの片方向通信（例えば、ＩＲＳＳ）である。
【００３７】
また、携帯電話２０ａにおける表示画面は小さいことから、送信される画像データの画像サイズは小さくてよいが、テレビ２０ｂの場合には、大画面であることから送信される画像データの画像サイズは比較的大きな画像サイズであることが望ましい。
【００３８】
さらに、携帯電話２０ａの場合にはユーザーが手で携帯電話２０ａを保持していることが多いためお互いに手振れがおきやすい。テレビ２０ｂの場合には、手振れすることはなく、また、多くの画像をじっくり鑑賞する用途では、カメラ１０も図２（Ｂ）に示すようにカメラ１０を机上に置いた状態でテレビ２０ｂに送信される。
【００３９】
このように、携帯電話２０ａへの送信の場合には、撮影画像のみであればよく、一方、テレビ２０ｂへの送信の場合には、撮影画像にかぎらず、地図等、撮影画像に関連する画像の表示も考慮している。
【００４０】
また、携帯電話２０ａとテレビ２０ｂの送信モードを設定しなくても済むようにしている。つまり、本実施形態においては、まず、携帯電話２０ａ用の送信を行い、送信先から応答信号を待ち、反応がない場合には、テレビ２０ｂ用の送信を行うようにしている。これによって、携帯電話２０ａでもテレビ２０ｂでも、どちらにも対応することができる。
【００４１】
画像送信のサブルーチンに入ると、まず、画像データのサイズを小に設定し（Ｓ２１）、画像データの送信を開始する（Ｓ２２）。このステップＳ２１、Ｓ２２では、前述したように、携帯電話２０ａ向けの画像データを小に設定して、再生機器２０に向けて送信する。この時点では、再生機器２０が携帯電話２０ａであるか、テレビ２０ｂであるかは不明であるためである。
【００４２】
続いて、通信が確立したか否かの判定を行う（Ｓ２３）。このステップでは、再生機器２０から応答信号を受信したか否かによって判定する。前述したように、携帯電話２０ａの場合には、双方向で通信を行うので、再生機器２０が携帯電話２０ａであれば、送信に対して応答信号が返ってくるが、テレビ２０ｂの場合には、送信に対して応答信号が返ってこないので、応答信号を受信したか否かによって、通信が確立したか否かを判定できる。
【００４３】
ステップＳ２３における判定の結果、通信が確立した場合には、次に、送信ＯＫか否かの判定を行う（Ｓ２４）。このステップでは、送信先が携帯電話２０ａであった場合には、画像データを受信できると応答信号が返信されてくるので、これによって判定する。この判定の結果、送信ＯＫでなかった場合には、再度、画像データを送信し（Ｓ３１）、ステップＳ２２に戻る。
【００４４】
ステップＳ２４における判定の結果、送信ＯＫであった場合には、振動検出を行い（Ｓ２５）、振動が有るか否かの判定を行う（Ｓ２６）。これらのステップＳ２５、Ｓ２６では、振動検出部５における振動検出出力を判定し、所定以上の振動が有るか否かの判定を行う。ユーザーがカメラを揺らせば、さらに、次の画像を送りたいとの意思があると判定する。
【００４５】
ステップＳ２６における判定の結果、振動が有った場合には、次の顔画像を設定し（Ｓ３２）、ステップＳ２２に戻り、携帯電話２０ａに次の顔画像の画像データを送信する。ここで、顔画像か否かは、画像データに添付されている顔位置情報（ステップＳ４で添付）を読出し、この情報に基づいて判定する。なお、ステップＳ３２において、次の顔画像(9) の画像データを設定すると、再度、振動が有るか否か判定し、振動を検出したときに、画像データを送信するようにしてもよい。
【００４６】
ステップＳ２６における判定の結果、振動がなかった場合には、終了か否かの判定を行う（Ｓ２７）。このステップでは送信予定の全ての画像データを送信終了したか否かを判定する。この判定の結果、終了していなかった場合には、ステップＳ２１に戻り、画像送信を続行し、一方、終了した場合には、元のフローに戻る。なお、ステップＳ２７における判定としては、画像送信の中止操作部材が操作された場合にも終了するようにしても良い。
【００４７】
このように、携帯電話２０ａとの通信時には、送信画像データの画像サイズが小さく、通信確認が可能であり、また、撮影画像以外の受け渡しは考慮しなくてもよいことから、カメラ１０の振動を検知して、画像の切り替えにも利用している。これらの工夫により、画像をいちいち選択するための操作を不要とし、連続して画像を転送することができる。
【００４８】
ステップＳ２３における判定の結果、通信を確立することができなかった場合には、画像サイズを大に設定し（Ｓ４１）、画像送信を開始する（Ｓ４２）。前述したように、通信を確立することができない場合には、再生機器２０はテレビ２０ｂであることから、テレビ２０ｂの画面サイズに相応しい画像サイズでデータを送信する。
【００４９】
続いて、ステップＳ２５と同様に振動検出を行い（Ｓ４３）、ステップＳ２６と同様に振動が有るか否かの判定を行う（Ｓ４４）。この判定の結果、振動が有った場合には、画像データを再度送信する（Ｓ３５）。テレビ２０ｂへの送信は、大きな画面用に大きな画像を送り、また、リモコンなどによる通信設定等にも比較的時間がかかり、また双方向で通信確認を行うことができないことから、正しく送信できたか否かカメラ１０としては分からない。そこで、振動を検出し、所定の振動が継続されており、ユーザーがカメラ１０を置いたりするような大きな振動がなく、また、テレビ２０ｂの方向に向けて位置合わせなどを行うような微小な繰り返し振動があった場合には、指向性の問題や送受信環境の問題によって、ユーザーがなおもカメラ１０から送信を試みているものと判定し、再度、同じ画像を送信するようにしている。再度画像を送信するとステップＳ４２に戻る。
【００５０】
ステップＳ４４における判定の結果、振動がなかった場合には、次に、送信時間が終了か否かの判定を行う（Ｓ４５）。ここでの送信時間は、通常、カメラ１０からテレビ２０ｂに画像データを送信するのに充分な所定時間とし、このステップでは、画像送信を開始してから所定時間が経過したかを判定する。この判定の結果、送信時間が終了していなかった場合には、ステップＳ４３に戻る。
【００５１】
ステップＳ４５における判定の結果、送信時間が終了していた場合には、次に、振動があるか否かの判定を行う（Ｓ４６）。このステップでは、振動検出部５における振動検出結果に基づいて所定以上の振動があるか否かを判定する（Ｓ４６）。
【００５２】
ステップＳ４６における判定の結果、振動があった場合には、画像の変更を行う（Ｓ３６）。すなわち、ステップＳ４５において送信時間が終了したと判定された場合には、カメラ１０からテレビ２０ｂに画像データを送信するための通信が確立した状態であり、その後、ステップＳ４６において振動を検出した場合には、ユーザーが次の画像に切り替えを欲している状態であることから、画像の変更を行っている。
【００５３】
したがって、カメラとテレビの間で通信が確立した状態では、カメラ１０を揺らすことによって画像の切り替えを行うことができ、携帯電話２０ａへの送信時と同様、面倒な操作をすることがない。ステップＳ３６において、画像の切り替えを行うと、ステップＳ４１に戻る。
【００５４】
ステップＳ４６における判定の結果、振動がなかった場合には、終了か否かの判定を行う（Ｓ４７）。この判定は、ステップＳ２７と同様に、送信予定の全ての画像データを送信終了したか否かを判定する。この判定の結果、終了した場合には、元のフローに戻る。一方、判定の結果、終了していなかった場合には、次に、関連情報が有るか否かの判定を行う（Ｓ４８）。このステップでは、画像データと一緒に付随情報が、付加されている場合など、その情報を送信するようになっている。
【００５５】
付随情報等の情報は、図２（Ａ）に示すようなシーンにおいて、携帯電話２０ａ等に相手先として通信する場合には、相手の機器の限られた電池エネルギやメモリ領域を利用してまで送信する必要はない。しかし、図２（Ｂ）に示すようなシーンにおいて、どこに行ったか等の情報も撮影画像と一緒に表示することにより、より楽しく鑑賞を楽しむことができる。したがって、撮影場所情報等を記録できるカメラ１０の場合、撮影画像を順次再生している時であって、撮影した場所の情報が大きく変化する場合には、撮影場所に関する情報を送信するようにすれば、その地名を表示したり、テレビ２０ｂ内に記録されている関連画像を表示することができ、また、関連音楽を再生する等、旅情を盛り上げること
ができる。
【００５６】
また、再生する画像の撮影日時は撮影日時情報から判断可能であり、この場合５年以上前の画像であったりすると、その撮影日時情報を送信し、これを表示することによって、撮影画像の鑑賞者は、これはそんな昔の画像なのか、と感慨にふけることができる。さらに、放送受信で記録してあるコンテンツの取得結果によっては、時間と場所にしたがって、類似の番組などを検索可能であり、そこに含まれるタイトルや音楽を参照して再生するようにしても良い。
【００５７】
携帯電話２０ａのようなパーソナルな機器に送信する場合には、余分な情報は、個人にとってはメモリの無駄になったり、送信エネルギの無駄になったりするので、送信する必要はない。しかし、テレビ２０ｂのように、大勢の人が見るような機器では、こうした点は、さほど重視する必要はない。このように、単に関連情報があるかどうかで、これらの情報を送信するのではなく、再生時の状況に適した関連情報か否かを加味して送信するようにしても良い。
【００５８】
ステップＳ４８における判定の結果、関連情報が無かった場合には、所定時間ごとに順次画像を送信する（Ｓ４９）。ステップＳ４６において、振動を検出した場合に、次の画像をテレビ２０ｂに送信していたが、振動がない場合であっても所定時間ごとに順次画像を送信するようにしている。このため、ユーザーはカメラ１０を置いたままにしておいても、画像が所定時間ごとに切り替えられ、スライドショーのように画像を鑑賞することができる。
【００５９】
一方、ステップＳ４８における判定の結果、関連情報が有った場合には、情報を送信する（Ｓ３７）。このステップでは、付随情報等の関連情報をテレビ２０ｂに送信する。テレビ２０ｂは、関連情報を受信すると、コンテンツ取得部２２によって取得した画像を表示部２４に表示する。ステップＳ４９またはステップＳ３７を処理するとステップＳ４１に戻る。
【００６０】
このように、本発明の一実施形態においては、送信操作部の操作によって画像データの送信を開始すると、振動検出部５の振動検出結果に従って、画像記録部３に記録された画像データの送信タイミングや送信画像を切り替えるようにしている。このため、撮影画像を鑑賞するシーンに応じて、その状況に相応しい再生となる画像送信を行うことができ、送信者や鑑賞者にストレスがかからない。
【００６１】
また、本発明の一実施形態においては、画像データの送信を開始すると（Ｓ１３→Ｓ１７）、送信先の再生機器２０からの応答信号に応じて、振動検出部５の振動検出結果に基づいて行う処理を変更している。本実施形態においては、双方向で信号のやり取りのできる再生機器（携帯電話２０ａ）の場合には、振動を検出すると、画像データを送信するようにしている。一方、双方向で信号のやり取りができない再生機器（テレビ２０ｂ）の場合には、初期段階においては（送信時間が終了するまで（Ｓ４５））、カメラ１０の位置調整を行っているか否かの判定に使用し、初期段階を過ぎてから、振動を検出すると、画像データを変更して送信するようにしている。すなわち、振動の検出結果に従って、送信する画像データと送信タイミングを切り替えるようにしている。
【００６２】
さらに、本実施形態においては、双方向で信号のやり取りができるような携帯電話２０ａの場合には、画像サイズを小さくし、一方、双方向で信号のやり取りができないようなテレビ２０ｂの場合には、画像サイズを大きくしている。このため、再生機器２０（携帯電話２０ａ、テレビ２０ｂ）に応じた画像サイズを決定することができる。なお、本実施形態においては、携帯電話２０ａとテレビ２０ｂの識別に、ＩＲ  ＳｉｍｐｌｅとＩＲＳＳの通信方式の違いを利用していたが、再生機器２０を自動的に識別できれば、この方式に限られない。
【００６３】
さらに、本実施形態においては、携帯電話２０ａの場合には、顔画像のみを送信し、一方、テレビ２０ｂの場合には、全画像を送信すると共に、関連情報があればこの関連情報も送信するようにしている。このため、それぞれの再生機器２０の特性に応じたデータや情報を送ることができる。
【００６４】
なお、本発明の一実施形態においては、画像データ送信装置としてカメラに適用した例を説明したが、画像データ送信装置としては、カメラに限らず、パーソナルコンピュータや携帯情報端末（ＰＤＡ：Personal Digital Assist）等であっても良い。撮影装置を有さないパーソナルコンピュータ等の場合には、撮影装置で撮影した画像データを格納し、図３のステップＳ１１以下のプログラムによって再生すれば良い。
【００６５】
さらに、本発明の一実施形態においては、撮影のための機器として、デジタルカメラを用いて説明したが、カメラとしては、デジタル一眼レフカメラでもコンパクトデジタルカメラでもよく、また、携帯電話や携帯情報端末等に内蔵されるカメラでも勿論構わない。
【００６６】
本発明は、上記一実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００６７】
１・・・制御部、２・・・撮影部、３・・・画像記録部、４・・・通信部、５・・・振動検出部、６・・・選択部、７・・・顔検出部、８・・・表示部、９・・・付随情報部、１０・・・カメラ、２０・・・再生機器、２０ａ・・・携帯電話、２０ｂ・・・テレビ、２１・・・制御部、２２・・・コンテンツ取得部、２３・・・合成部、２４・・・表示部、２５・・・通信部
【図１】
2014082771.tif 000003
【図２】
2014082771.tif 000004
【図３】
2014082771.tif 000005
【図４】
2014082771.tif 000006